(57)【要約】【課題】パーティションをレンジフードに簡単に連結することができる連結部材を提供する。【解決手段】レンジフードの下端部に固定する上部５１と、この上部５１より下側に設けられパーティションの上端部に固定する下部５２と、を備え、上部は第１開口部５１Ａを有し、下部５２は第２開口部５２Ａを有し、第１開口部５１Ａはレンジフードの下端部に形成された取付穴に対応しており、第２開口部５２Ａはパーティションの上端部に形成された取付穴に対応しており、フード又はパーティションが所望の位置からずれて配設されている場合に、第１開口部５１Ａはレンジフードに対する連結部材の位置を変えてもレンジフードの取付穴と水平方向に重なることができるように形成されており、第２開口部５２Ａはパーティションに対する連結部材の位置を変えてもパーティションの取付穴と水平方向に重なることができるように形成されている。【選択図】図２
2013104634.tif 000002
【特許請求の範囲】
【請求項１】
カウンタの上面に立設したパーティションを、上記カウンタの上方に設けられたレンジフードに連結する連結部材であって、
上記レンジフードの下端部に固定される上部と、この上部より下側に設けられ上記パーティションの上端部に固定される下部と、を備え、
上記上部は第１開口部或いは第１切欠部を有し、
上記下部は第２開口部或いは第２切欠部を有し、
上記第１開口部或いは第１切欠部は上記レンジフードの下端部に形成された取付穴に対応しており、
上記第２開口部或いは第２切欠部は上記パーティションの上端部に形成された取付穴に対応しており、
上記レンジフード又は上記パーティションが所望の位置からずれて配設されている場合に、上記第１開口部或いは第１切欠部は上記レンジフードに対する当該連結部材の位置を変えても上記レンジフードの取付穴と水平方向に重なることができるように形成されており、上記第２開口部或いは第２切欠部は上記パーティションに対する当該連結部材の位置を変えても上記パーティションの取付穴と水平方向に重なることができるように形成されていることを特徴とする、連結部材。
【請求項２】
前記第１開口部或いは第１切欠部は横方向に長く、前記第２開口部或いは第２切欠部は縦方向に長く形成されていることを特徴とする、請求項１に記載の連結部材。
【請求項３】
キャビネットと、このキャビネットに載置した前記カウンタと、このカウンタに配設した加熱調理器と、この加熱調理器の上方に配置した前記レンジフードと、前記パーティションと、請求項１又は２に記載の連結部材と、を備え、
上記連結部材によって前記パーティションが前記レンジフードに連結されていることを特徴とする、システムキッチン。
【発明の詳細な説明】
【技術分野】
【０００１】
本発明は、カウンタの上面に立設したパーティションを、カウンタの上方に設けられたレンジフードに連結する連結部材と、パーティションをカウンタとレンジフードとの間に固定したシステムキッチンに関する。
【背景技術】
【０００２】
近年、家族とのコミュニケーションや利便性の向上の観点から、所謂ペニンシュラ型と呼ばれる壁面から半島のように突き出たシステムキッチンが利用されている。
【０００３】
図７に示すように、従来のペニンシュラタイプのシステムキッチン１００は、台所用品を収納する複数個のキャビネット１１０と、加熱調理器１２１やシンク１２２を配設していてキャビネット１１０に載置されるカウンタ１２０と、加熱調理器１２１の上方で壁面２００から突出するよう配置されたレンジフード１３０と、を備えている。このようなペニンシュラタイプのシステムキッチン１００は、例えば間仕切り家具のように台所とダイニングとを区画するようにして用いられる。
【０００４】
また、システムキッチン１００は、加熱調理時に発生する煙、蒸気、霧状の油滴等を含む空気がダイニング側へ流れることを抑止するパーティション１４０を設けている。具体的には、パーティション１４０は外形を矩形としたパネル状に構成されており、下端部がカウンタ１２０に固定され上端部がレンジフード１３０に固定されている。
【０００５】
このようなパーティション１４０が特許文献１に開示されている。特許文献１のパーティションは、仕切り板と、この仕切り板を囲む枠フレームと、枠フレームの下端部とカウンタとの間に配設して枠フレームの高さを調整する高さ調整部材と、高さ調整部材を隠すためのカバー部材と、を備えている（特許文献１の請求項１，段落［００１３］）。この特許文献１では、枠フレームをレンジフードに固定した連結具に固定することで、パーティションがレンジフードに連結される（特許文献１の段落［００２２］末行）。
【先行技術文献】
【特許文献】
【０００６】
【特許文献１】特開２００８−２７５２２１号公報
【発明の概要】
【発明が解決しようとする課題】
【０００７】
しかしながら、特許文献１の技術では、パーティションを設置する際、作業者は、枠フレームの下端部とカウンタとの間に配置された高さ調整部材を操作することに加えて、この高さ調整部材より上方の位置でレンジフードに取り付けられている連結具に枠フレームの上端部を嵌合させるように、枠フレームの上端部の位置を確認しなければならない。このように、離れた箇所をそれぞれ確認しつつ、パーティションを取り付ける作業は煩わしい。例えば傾いた壁面に取り付けられたレンジフードの下端や傾斜した床に設置したキャビネット上のカウンタが設計通りの位置からずれている場合には尚更である。
【０００８】
そこで、作業者がパーティションの上端部とそれに近接するレンジフードの下端部の周辺だけを作業領域としてパーティションとレンジフードとを連結することができれば、作業性の向上を期待できる。また、パーティションとレンジフードとが予定した設置位置から若干ずれた場合にも、パーティションとレンジフードとを簡単に連結できることが望ましい。
【０００９】
本発明は、上記課題に鑑みてなされたもので、パーティションをレンジフードに簡単に連結することができる連結部材及びそれを備えたシステムキッチンを提供することを目的とする。
【課題を解決するための手段】
【００１０】
上記目的を達成するため、本発明は、カウンタの上面に立設したパーティションを、カウンタの上方に設けたレンジフードに連結する連結部材であって、レンジフードの下端部に固定される上部と、この上部より下側に設けられパーティションの上端部に固定される下部と、を備え、上部は第１開口部或いは第１切欠部を有し、下部は第２開口部或いは第２切欠部を有し、第１開口部或いは第１切欠部はレンジフードの下端部に形成された取付穴に対応し、第２開口部或いは第２切欠部はパーティションの上端部に形成された取付穴に対応していて、レンジフード又はパーティションが所望の位置からずれて配設されている場合に、第１開口部或いは第１切欠部はレンジフードに対する当該連結部材の位置を変えてもレンジフードの取付穴と水平方向に重なることができるように形成され、さらに、第２開口部或いは第２切欠部はパーティションに対する当該連結部材の位置を変えてもパーティションの取付穴と水平方向に重なることができるように形成されている。
【００１１】
本発明の連結部材において、例えば、第１開口部或いは第１切欠部は横方向に長く、第２開口部或いは第２切欠部は縦方向に長く形成されている。
【００１２】
上記目的を達成するため、本発明のシステムキッチンは、キャビネットと、キャビネットに載置したカウンタと、カウンタに配設した加熱調理器と、加熱調理器の上方に配置したレンジフードと、パーティションと、前述の連結部材と、を備え、連結部材によってパーティションがレンジフードに連結されていることを特徴としている。
【発明の効果】
【００１３】
本発明によれば、特許文献１記載のパーティションを設置する際の作業と比較して、作業者によるパーティションとレンジフードとの連結作業を一箇所の領域、つまりパーティションの上端部とそれに近接するレンジフードの下端部との周辺領域だけに集中させることができるため、離れた二箇所の領域を別々に確認しながら作業を行う特許文献１の技術に比して作業性の向上を期待できる。
【００１４】
また、例えば傾いた壁面に取り付けられたレンジフードの下端部や傾斜した床に設置したキャビネット上のカウンタが設計通りの位置から若干ずれている場合であっても、この傾きを吸収してレンジフードとパーティションとを連結部材によって連結することができる。さらに、本発明では特許文献１で用いる高さ調整部材が不要であるため、部品コストを低減することができる。
【図面の簡単な説明】
【００１５】
【図１】（Ａ）は本発明の実施形態に係るシステムキッチンの正面図、（Ｂ）はシステムキッチンの右側面図である。
【図２】（Ａ）は本発明の実施形態に係る連結部材の正面図、（Ｂ）は（Ａ）の破線の楕円Ｃ１で囲った連結部材の右端部領域の拡大図、（Ｃ）は連結部材の拡大右側面図である。
【図３】（Ａ）はレンジフードの下端部にパーティションを配置した状態の正面図、（Ｂ）はレンジフードの下端部とパーティションの上端部とに連結部材を当接させた状態の正面図である。
【図４】図３（Ｂ）のＡ−Ａ線に沿ったパーティションとレンジフードとの連結構造の断面図である。
【図５】本発明の実施形態に係る連結部材の使用方法を説明するための図である。
【図６】（Ａ）〜（Ｅ）はそれぞれ本発明の実施形態に係る連結部材の変形例を示す図である。
【図７】従来のシステムキッチンの斜視図である。
【発明を実施するための形態】
【００１６】
以下、図面を参照して本発明の実施形態を説明する。
図１（Ａ）は本発明の実施形態に係るシステムキッチン１の正面図であり、図１（Ｂ）はシステムキッチン１の右側面図である。
システムキッチン１は、壁面２００から半島のように突き出るように設置されるペニンシュラタイプであり、例えば間仕切り家具のように台所とダイニングとを区画する。
【００１７】
システムキッチン１は、図１に示すように、台所用品を収納する複数個のキャビネット１０と、加熱調理器２１やシンク（図１では表れていない）を配設していてキャビネット１０に載置されるカウンタ２０と、壁面２００に取り付けられて加熱調理器２１の上方に配置されたレンジフード３０と、加熱調理時に発生する煙、蒸気、霧状の油滴等を含む空気のダイニング側への流出を抑止するパーティション４０と、を備えている。システムキッチン１は、図１（Ａ）に示すシステムキッチン１の正面が図１（Ｂ）に示すように台所側を臨むように、向きが選定されている。パーティション４０は、図１（Ｂ）に示すようにキッチン正面よりダイニング側へ向かったキッチン後側のカウンタ２０上の位置でパネル面がダイニング側を臨むように立設している。
【００１８】
このような構成は従来のシステムキッチン１００と同様の構成であるが、本実施形態に係るシステムキッチン１では、カウンタ２０上で起立したパーティション４０が連結部材５０によってレンジフード３０に連結されていることを特徴としている。本実施形態のシステムキッチン１ではパーティションの上端部より高い位置にレンジフードの下端部が配置されるので、それらの間の高さ位置に連結部材を配置してパーティションの上端部をレンジフードの下端部に連結する。
【００１９】
図２（Ａ）は本実施形態に係る連結部材５０の正面図、図２（Ｂ）は図２（Ａ）の破線の楕円Ｃ１で囲った連結部材５０の右端部領域の拡大図で、図２（Ｃ）は連結部材５０の拡大右側面図であり、図２では連結部材５０をレンジフード３０やパーティション４０に取り付ける姿勢、つまり起立した状態で表している。ここで、図２（Ａ）の矢印で示すように紙面の上側がシステムキッチン１の上側方向、紙面の下側がシステムキッチンの下側方向、紙面の左右側がシステムキッチンの左右方向に対応している。細長い板片状に形成された連結部材５０は、長手方向をシステムキッチンの左右方向に沿わせつつ板を立てた姿勢で、レンジフード３０とパーティション４０とを連結する。
【００２０】
このため、連結部材５０は、レンジフード３０の下端部に固定される上部５１と、この上部５１より下側に設けられパーティション４０の上端部に固定される下部５２と、を備えている。
【００２１】
上部５１と下部５２とが一体に構成されて、一枚の板片を成すが、本実施形態では図２（Ｃ）に示すように上部５１が下部５２よりも厚みを薄くして形成されている。
【００２２】
また、図２（Ｂ）に示すように、上部５１の右側の端部はそこより中央寄りの部分に比べて高さが低くなるように形成されている。連結部材５０の左端部も図２（Ｂ）に示す右端部と同様に形成されている。なお、後述の図３及び図５に示すように、連結部材５０は、左右の端部に上側の角部５１Ｃ（図３（Ｂ）参照）を残して構成されてもよい。
【００２３】
連結部材５０は図２（Ａ）に示すように上部５１に一対の第１開口部５１Ａを有する。一対の第１開口部５１Ａはレンジフード３０の一対の取付穴に対応している。
【００２４】
ここで、図３（Ａ）はレンジフード３０の下端部にパーティション４０を配置した状態を示しており、図３（Ｂ）はレンジフード３０の下端部とパーティション４０の上端部とに連結部材５０を当接させた状態を示している。図示例では、パーティション４０とレンジフード３０との間に高さが均一のクリアランスＣＬが設定される状態を示している。この図３の上下左右方向は図１（Ａ）の上下左右方向と一致している。なお、パーティション４０は、図１（Ｂ）に示すようにシステムキッチン１の正面側より後側に位置するレンジフード３０の下端部分、つまり図１（Ｂ）で破線の円Ｃ２で示すレンジフード３０の下端部３０Ｂに連結される。図３では、レンジフード３０の下端部３０Ｂを構成する一部のパネル（以下、第１パネル３１と呼ぶ。）だけを表し、レンジフード３０の他の部材を省略している。
【００２５】
レンジフード３０の一対の取付穴３１Ａが図３（Ａ）に示すように第１パネル３１に横方向に距離を置いて形成されているため、図３（Ｂ）に示すように、これらの取付穴３１Ａ同士の間隔に相当する間隔をもって一対の第１開口部５１Ａは連結部材５０の上部５１に横方向に設けられている。
【００２６】
図４は図３（Ｂ）のＡ−Ａ線に沿ったパーティション４０とレンジフード３０との連結構造の断面図であり、この図に示すように本実施形態では、レンジフード３０の下端部３０Ｂは、第１パネル３１に加えて、第１パネル３１の前側に所定の距離置いて設けられレンジフード３０の内壁面を構成する第２パネル３２と、第１パネル３１より外側に設けられレンジフード３０の外装、つまり意匠面を構成する第３パネル３３と、で構成されている。図中の３２Ｄは油返しである。
【００２７】
第３パネル３３の下端は、第１パネル３１の下側から第１パネル３１の前側に回り込んで第１パネル３１に当接しているが、第２パネル３２には接触せずに、第３パネル３３と第２パネル３２との間に隙間（以下、差込部と呼ぶ。）が画成されている。
【００２８】
この差込部３５は、システムキッチン１の左右方向に沿って形成されている。この差込部３５に連結部材５０の上部５１をその長手方向の全長に亘って部分的に挿入した後に連結部材５０を下端部３０Ｂに固定させるため、第３パネル３３と第２パネル３２には、第１パネル３１の取付穴３１Ａに対応した取付穴３３Ａ，３２Ａが形成されている。
【００２９】
連結部材５０をレンジフード３０の下端部３０Ｂに固定する際にねじ６１（図４）を用いるが、このねじ６１が第１パネル３１だけに螺着するよう、第１パネル３１の取付穴３１Ａだけがねじ穴として構成されている。第２パネル３２及び第３パネル３３の取付穴３２Ａ，３３Ａは、第１パネル３１の取付穴３１Ａよりも大径に形成されているが、ねじ６１の頭部６１Ａよりも小さく形成されている。これらの取付穴３１Ａ，３２Ａ，３３Ａと同様に、第１開口部５１Ａは、ねじ６１の軸部６１Ｂを通すことができるが、ねじ６１の頭部６１Ａを通すことができないように、穴の寸法が選定されている。
【００３０】
なお、第１パネル３１、第２パネル３２及び第３パネル３３において取付穴３１Ａ，３２Ａ，３３Ａが形成される部分は、連結部材５０の上部５１が当接するように、凹凸の無い面に形成されている。
【００３１】
さらに、連結部材５０は、図２（Ａ）に示すように下部５２に一対の第２開口部５２Ａを有する。一対の第２開口部５２Ａはパーティション４０の一対の取付穴に対応している。
【００３２】
図３（Ａ）に示すように、パーティション４０は、外周形状を矩形としたパネル４１と、このパネル４１の外周に取り付けた枠４２と、から構成されている。パネル４１は、例えば透明或いは半透明のガラス材料等で構成されている。枠４２は、水平バー状の下枠部４２Ａと、下枠部４２Ａの左右の端部に下端部を連結される垂直バー状の左枠部４２Ｂ及び右枠部４２Ｃと、左枠部４２Ｂ及び右枠部４２Ｃの各上端部に左右の端部を連結される水平バー状の上枠部４２Ｄと、から成る。パーティション４０は、下枠部４２Ａの底面に塗布された接着剤或いは両面接着テープ等によってカウンタ２０の上面に固定される。レンジフード３０と連結するためにパーティション４０の上枠部４２Ｄに、一対の取付穴４２Ｅが形成されている。取付穴４２Ｅはねじ穴として構成されている。
【００３３】
パーティション４０の一対の取付穴４２Ｅが、図３（Ａ）に示すようにパーティション４０の上枠部４２Ｄに横方向に距離を置いて形成されているため、図３（Ｂ）に示すように、これらの取付穴４２Ｅ同士の間隔に相当する間隔をもって、一対の第２開口部５２Ａは連結部材５０の下部５２に横方向に設けられている。これらの第２開口部５２Ａは、ねじ６２（図４）の軸部６２Ｂを通すが、ねじ６２の頭部６２Ａを通すことができないように、穴の寸法が選定されている。
【００３４】
なお、図３（Ａ）ではパーティションの高さ方向の中間程度の部分の表示を省略し左枠部４２Ｂ及び右枠部４２Ｃを部分的に二点鎖線で表し、また図３（Ｂ）はパーティション４０の上側の領域だけを表している。
【００３５】
さらに、本実施形態では、図２（Ａ）及び図３（Ｂ）に示すように、第１開口部５１Ａと第２開口部５２Ａとが上下方向に位置が重ならないよう、両者それぞれ横方向に位置がずれて設けられている。
【００３６】
次に、以上のように構成された連結部材５０を用いた、カウンタ２０上に立設したパーティション４０と壁面２００に固定されたレンジフード３０との連結構造について説明する。
【００３７】
図４に示すように、レンジフード３０の差込部３５に連結部材５０の上部５１を挿入し、さらに連結部材５０の第１開口部５１Ａをレンジフード３０の下端部３０Ｂの取付穴３１Ａと位置合わせした状態で、これらの第１開口部５１Ａと取付穴３１Ａとにねじ６１を差し込み、ねじ６１を第１パネル３１の取付穴３１Ａに螺着させる。これにより、連結部材５０がレンジフード３０の下端部３０Ｂに固定される。
【００３８】
また、図４に示すように、連結部材５０の第２開口部５２Ａをパーティション４０の上枠部４２Ｄの取付穴４２Ｅと位置合わせした状態で、これらの第２開口部５２Ａと取付穴４２Ｅとにねじ６２を差し込んで取付穴４２Ｅに螺着させることで、連結部材５０がパーティション４０の上枠部４２Ｄに固定される。このように、連結部材５０によってパーティション４０をレンジフード３０に連結することができる。
【００３９】
さらに、本実施形態に係る連結部材５０では、図２（Ａ）に示すように、第１開口部５１Ａが横方向に長い穴（以下、長穴と呼ぶ。）に形成され、第２開口部５２Ａが縦方向に延びた長穴に形成されている。第１開口部５１Ａは、例えばねじ６１の軸部６１Ｂを通し、且つ軸部６１Ｂを固定した状態で連結部材５０を左右方向に３ｍｍ程度移動させ得るように横長に形成されている。第２開口部５２Ａは、例えばねじ６２の軸部６２Ｂを通し、且つ、軸部６２Ｂを固定した状態で連結部材５０を上下方向に３ｍｍ程度移動させ得るように上下方向に長く形成されている。
【００４０】
このように第１開口部５１Ａと第２開口部５２Ａとが長穴に形成されていることで、例えばレンジフード３０が予め決めた取付位置よりも、上側或いは下側（図１（Ａ）の上下方向ご参照）に若干ずれていて、このレンジフード３０の取付穴３１Ａに第１開口部５１Ａを位置合わせした場合でも、当該パーティション４０の取付穴４２Ｅの位置と第２開口部５２Ａの位置とが水平方向で一致する。これにより、取付穴４２Ｅと第２開口部５２Ａとが連続したねじ用の穴を構成する。よって、第２開口部５２Ａを通したねじ６２を取付穴４２Ｅに螺着させることができるので、連結部材５０によってパーティション４０とレンジフード３０とを連結できる。
【００４１】
例えば、図５（Ａ）に示すように、レンジフード３０の位置が規定の位置より低く、レンジフード３０とパーティション４０との間にクリアランスが無い場合には、レンジフード３０の取付穴３１Ａに第１開口部５１Ａの位置を合わせた場合、図３（Ｂ）に比べて連結部材５０の位置が低くなるが、連結部材５０の第２開口部５２Ａが上下方向に沿った縦の長穴に形成されているため、連結部材５０の第２開口部５２Ａがパーティション４０の取付穴４２Ｅと水平方向で重なることができる。よって、この場合にも、連結部材５０によってパーティション４０とこれに接したレンジフード３０とを連結することができる。
【００４２】
また、図５（Ｂ）に示すように、レンジフード３０を取り付ける壁面２００が傾いていて、レンジフード３０の右側が左側よりも若干持ち上がっている場合、連結部材５０の第１開口部５１Ａが横方向の長穴に、第２開口部５２Ａが縦方向の長穴に形成されているため、僅かな傾きを持ったレンジフード３０の一対の取付穴３１Ａの位置に連結部材５０の上部５１の一対の第１開口部５１Ａを位置合わせしつつ、第２開口部５２Ａをパーティション４０の取付穴４２Ｅに水平方向に位置を重ねることができる。レンジフード３０の左側が右側よりも持ち上がっている場合も、図５（Ｃ）に示すように、連結部材５０の左側部分を右側部分より若干高くなるように傾けて、第１開口部５１Ａをレンジフード３０の取付穴３１Ａに水平方向に重ね、第２開口部５２Ａをパーティション４０の取付穴４２Ｅに水平方向に重ねることができる。よって、このように若干傾いたレンジフード３０に対しても、連結部材５０によってパーティション４０を連結することできる。
【００４３】
また、レンジフード３０の傾きに代えて、パーティション４０の上枠部４２Ｄが若干傾いている場合にも、当該パーティション４０を連結部材５０によってレンジフード３０に連結させることができる。このような、パーティション４０の傾きは、例えばキャビネット１０を設置するフロアが傾いていること等によって生じる。
【００４４】
なお、図５は、図３と同様にレンジフード３０の第１パネル３１だけを表し他のレンジフード３０の構成部材の表示を省略しており、またパーティション４０の上側部分だけを表し、ねじ６１，６２の表示も省略している。この図５の上下左右方向は、図３と同様に、図１（Ａ）の上下左右方向と一致している。
【００４５】
このように本実施形態の連結部材５０はレンジフード３０の下端部３０Ｂへ固定するための第１開口部５１Ａとパーティション４０の上枠部４２Ｄへ固定するための第２開口部５２Ａとを一枚の板片内に設けているので、特許文献１のパーティションを設置する際の作業と比較して、作業者によるパーティション４０とレンジフード３０との作業を一箇所の領域、つまりパーティション４０の上枠部４２Ｄとそれに近接するレンジフード３０の下端部３０Ｂとの間及びその周辺領域だけに集中させることができるため、離れた二箇所の領域を別々に確認しながら作業を行う特許文献１に比べて、作業性の向上を期待できる。
【００４６】
また、連結部材５０の第１開口部５１Ａが横方向の長穴に、第２開口部５２Ａが縦方向の長穴に形成されているため、例えば傾いた壁面２００に取り付けられたレンジフード３０の下端部３０Ｂや傾斜した床に設置したキャビネット１０上のカウンタ２０が設計通りの位置から若干ずれている場合にも、レンジフード３０とパーティション４０とを連結部材５０によって連結することができる。
【００４７】
さらに、特許文献１で用いる高さ調整部材が不要であるため、本実施形態に係る連結部材５０は部品コストを低減できる。
【００４８】
次に、本実施形態に係る連結部材５０の変形例について説明する。
図６（Ａ）は第１変形例の連結部材５０Ａの正面図である。この連結部材５０Ａは上部５１に３つの第１開口部５１Ａを備えている。
【００４９】
図６（Ｂ）は第２変形例の連結部材５０Ｂの正面図である。この連結部材５０Ｂは、前述の連結部材５０におけるねじ通し用の穴としての第１開口部５１Ａに代えて横方向に長く切り欠いた第１切欠部５１Ｂを上部５１に備えている。
【００５０】
図６（Ｃ）は第３変形例の連結部材５０Ｃの正面図である。この連結部材５０Ｃは、前述の連結部材５０におけるねじ通し用の穴としての第２開口部５２Ａに代えて上下方向に長く切り欠いた第２切欠部５２Ｂを下部５２に備えている。
【００５１】
図６（Ｄ）は第４変形例の連結部材５０Ｄの正面図である。この連結部材５０Ｄは、上部５１の左右の端寄りの位置にねじ６１を通すための第１切欠部５１Ｂを備えることに加えて、長さ方向の中間部にねじ６１を通すための第１開口部５１Ａを上部５１に備えている。
【００５２】
図６（Ｅ）は第５変形例の連結部材５０Ｅの正面図である。この連結部材５０Ｅは、図６（Ｄ）の連結部材５０Ｄにおけるねじ通し用の穴としての第２開口部５２Ａに代えて第２切欠部５２Ｂを備えている。
【００５３】
以上説明したが、本発明は、その主旨を逸脱しない範囲内において様々な形態で実施することができる。
【００５４】
例えば、上記連結部材の上部に設ける第１開口部及び／又は第１切欠部を横長の形状に代えて、上下方向に延びた長穴或いは切欠きで形成してもよい。この場合、下部に設ける第２開口部及び／又は第２切欠部を縦長の形状に代えて、左右方向に延びた長穴或いは切欠きで形成する。また、第１開口部及び第２開口部は、長穴に代えて、大径の穴として構成されてもよい。
連結部材の上部と下部とに設ける第１開口部、第２開口部、切欠部の数や組み合わせは図示例に限定されるものではない。
上記説明では、連結部材は、上部と下部とが異なる厚みに設定されているが、厚みが一定であってもよいことは勿論である。また、凹凸部を有するパネル部材として構成されてもよい。
【００５５】
連結部材の寸法比率は、図示例に限定されるものではない。上記説明では、連結部材を板片状に構成した場合を前提に説明を進めたが、例えばブロック状に構成してもよい。
上記説明では、壁面にレンジフードが固定されているシステムキッチンを前提に説明を進めたが、レンジフードは天井に固定されていてもよい。
また、本実施形態に係る連結部材は、ペニンシュラ型のシステムキッチンに限らず、周囲のいずれの側面箇所を壁面などに当てずに例えば台所の中央に島のように設置されるアイランドタイプのシステムキッチンで利用することも可能である。
第１開口部或いは第１切欠部と第２開口部或いは第２切欠部とは上下に並ぶように配置してもよい。
【符号の説明】
【００５６】
１        システムキッチン
１０      キャビネット
２０      カウンタ
２１      加熱調理器
３０      レンジフード
３０Ｂ    レンジフードの下端部
３１      第１パネル
３１Ａ    第１パネルの取付穴
３２      第２パネル
３２Ａ    第２パネルの取付穴
３３      第３パネル
３３Ａ    第３パネルの取付穴
３５      差込部
４０      パーティション
４１      パネル
４２      枠
４２Ａ    下枠部
４２Ｂ    左枠部
４２Ｃ    右枠部
４２Ｄ    上枠部
４２Ｅ    パーティションに形成された取付穴
５０      連結部材
５１      連結部材の上部
５１Ａ    連結部材の第１開口部
５１Ｂ    連結部材の第２切欠部
５２      連結部材の下部
５２Ａ    連結部材の第２開口部
５２Ｂ    連結部材の第２切欠部
６１，６２  ねじ
６１Ａ，６２Ａ  ねじの頭部
６１Ｂ，６２Ｂ  ねじの軸部
【図１】
2013104634.tif 000003
【図２】
2013104634.tif 000004
【図３】
2013104634.tif 000005
【図４】
2013104634.tif 000006
【図５】
2013104634.tif 000007
【図６】
2013104634.tif 000008
【図７】
2013104634.tif 000009